(57)【要約】　　　（修正有）【課題】色やデザインの選択肢の乏しいブラジャーおよび洋服の肩ひも部分においてファッション性を向上させる。【解決手段】緻密なデザインが可能で色彩豊富、かつ光沢があり華やかな印象を与えることが出来るビーズ織りの技法を用いることにより、様々なデザインが可能となり、多様化する近年のファッションに即した肩ひもの作成ができる。ストラップに器具類を取り付ける等の方法を用いて着脱可能な肩ひも部分を作成する、ストラップを直接留めつける等、下着や衣服の形状に合わせ装着が可能なため、あらゆる場面に対応でき、カジュアルからフォーマルまで手軽に好みに合った肩ひもが選択可能となる。これにより従来の肩ひもに代わり、自己表現の手段として、また洗練されたファッションの一部として高いデザイン性を誇る肩ひもが実現可能となる。【選択図】　　　　　図１
0003097043.tif 000002
【実用新案登録請求の範囲】
【請求項１】
ビーズ織りの技法により作成された帯状のものを直接、下着または衣服に取り付け肩ひも部分として利用するビーズ織りを肩ひもに用いた装着具。
【請求項２】
上記帯状のものの端に、金具等のジョイント器具を取り付けた請求項１記載のビーズ織り肩ひもに用いた装身具。
【請求項３】
上記肩ひもは、下記（１）〜（５）のいずれか１つ又は複数の構成を具備する請求項１又は請求項２のビーズ織りを肩ひもに用いた装身具。
１．　ビーズの数の増減により長さ・幅を任意に変更する。
２．　その形状において飾りビーズを付加する。
３．　ビーズ以外の装飾物と組み合わせる。
４．　帯を複数組み合わせる。
５．　ビーズの色調・素材・種類を複数組み合わせる。
【考案の詳細な説明】
【０００１】
【考案の属する技術分野】
本考案はビーズ織りの特徴である華やかさ、ファッション性そして滑らかな質感を生かし下着や洋服の肩紐に利用する手芸・洋裁に関するものである。
【０００２】
【従来の技術】
従来、布などの繊維のみで作成された紐状のもの（図５参照）や伸び縮みするゴム状のもの、ビニール素材のものにジョイント金具を付けたもの。直接、下着や洋服に縫い付けてある肩紐も同じく布やゴムを用いたものがある。また、従来のものはデザインにおいても無地のものが多く、デザイン性が著しく乏しいものである。
【０００３】
【考案が解決しようとする課題】
近年のファッション多様化により様々な洋服や下着が開発されているが、肩ひも部分に関しては選択肢が少ない。ＴＰＯや個人の好みに合わせて、その都度選ぶ事が出来るものもあるにはあるが数少ない。そういったものの中にはデザイン性を高める一方で装着感を損ねているものも数多くある。また、現代女性のファッション傾向から、あえてファッションとして見せて利用できるような肩ひもが必要。また全体的にカジュアルな場面に適したものが多く、華やかな場所や特別な場面に適したものが特に不足している。
【０００４】
【課題を解決するための手段】
上記の課題を解決するために、以下の手段を講じた。ビーズ織りの技法により作成された帯状のものを直接、下着または衣服に取り付け肩ひも部分として利用できる装着具を作成する。下着または衣服の着脱可能な肩ひもとして利用できるように、ビーズ織りの技法により作成された帯状のものの端に金具等のジョイント器具を取り付け装着具とする。ビーズ織りで作成される肩ひも部分は、ビーズの数の増減により長さ・幅を自由に変更可能で、その形状においては飾りビーズをつける、ビーズ以外の装飾物と組み合わせる、帯を複数組み合わせる等、数多くのバリエーションがあり、使用するビーズは色調・素材ともに種類を豊富に有しており、ビーズの組み合わせにより様々なデザインが実現可能な装着具を作成する。
【０００５】
【考案の実施の形態】
ここで本考案で取られた技術手段および構造の特徴から得られた効果および目的を、好ましい実施例を以って図面に合わせて詳しく説明する。基本的なビーズ織りの手法とは、織り機等に必要数の縦糸を張り、糸と糸の間にビーズをはさみ、横糸をビーズの列に上下から通すことにより布状に織り上げていく伝統的な技法である。（図４参照）。本考案の肩ひもはこのビーズ織り技法を用いることにより作成した帯状の肩ひも１である（図３参照）。端に止めリングや調節可能な器具類２、また必要に合わせて丸カン等の器具を用いて着脱可能なタイプの装着具を作成し、ブラジャー等の下着３や衣服４に取り付ける（図１参照）。また端の部分を折り返し縫い付ける等の手法により下着３や衣服４に直接取り付ける（図２参照）。
【０００６】
【実施例】
ビーズ織りで作成した帯状の肩ひもの両端に、一般的なブラジャー用器具２を装着し、市販の肩ひもが着脱可能なタイプのブラジャー本体に装着し、替えの肩ひもとして使用する。（図１参照）。上に述べたものは本考案の好ましい実施例の一つに過ぎず、本考案の実施する範囲を限定するものではない。この例の他にも、たとえば、帯状の肩ひも１本体と下着３および衣服４との接合部に関し、それぞれの形状や素材により最適な方法を用いること、帯状の肩ひも１は全長のみならず幅に関しても増目・減目や両脇に飾りビーズを付けることにより様々な形状のものの作成が可能であること、使用する糸はポリエステル糸やテグスなどを利用環境に合わせ随時選択すること等、その都度必要に応じて変更が可能である。本考案で請求した実用新案によって作られる均等変化および修飾は全て本考案の権利範囲に属すべきである。
【０００７】
【考案の効果】
本考案ではビーズ織りの手法で肩ひもを作成することにより、ビーズ織り本来の主な特徴である光沢や滑らかさを持った、従来の布等の肩ひもに比べてより華やかでデザイン性に優れ、かつ表面が滑らかで凹凸が少ないため、肌に食い込む等の不快感を軽減し、装着感のよい肩ひもが作成可能となる。丁寧で緻密な作業により一つ一つ手作りで作成された本考案の装着具は、高品質でファッション性にも優れているため、その利用範囲はカジュアルから結婚式やパーティーのようなフォーマルな場面にまで及ぶ。また、本来は外に出して見せるものではなかった下着の肩ひもを、高いデザイン性と幅広いバリエーションにより、あえてファッションの一部として見せることができるようになる。着脱可能なタイプの肩ひもは、すでに一般化されている肩ひもの取り外し可能なブラジャーに使用できるため、手軽に個人の好みやＴＰＯに合った肩ひもを選択することが可能となる。ビーズの色数、使用する器具類、肩ひも自体の形状が多岐にわたるため、本考案の装着具は様々なニーズに合うデザインでの作成が可能であり、ますます多様化するファッションにも適応でき、結果的に肩ひもの選択肢を増やすことが可能である。
【図面の簡単な説明】
【図１】器具を取り付けて着脱可能な肩ひも　の外観斜視図である。
【図２】直接下着または衣服に取り付けて利用した場合の肩ひもの外観図である。
【図３】ビーズ織り手法により作成された帯状肩ひも部分の平面図である。
【図４】基本的なビーズ織り手法の説明図である。
【図５】従来の下着を使用している状態の外観図である。
【符号の説明】
１　　　肩ひも
２　　　器具類
３　　　下着
４　　　衣服
１０　　肩ひも
３０　　下着
【図１】
0003097043.tif 000003
【図２】
0003097043.tif 000004
【図３】
0003097043.tif 000005
【図４】
0003097043.tif 000006
【図５】
0003097043.tif 000007